(57)【要約】      （修正有）【課題】方形に形成した排水口をシンクの片側隅部に設けることにより、排水口を俯瞰したとき、排水口の違和感を無くして綺麗で高級感を有するキッチンシンクを提供する。【解決手段】片側隅部に設けた排水口９方向に内底面全体を傾斜させてなる底面板３と、底面板３の左右両側の短尺辺４にそれぞれ垂直方向に取付ける側面板５と、底面板３の前後方向の長尺辺にそれぞれ垂直方向に取付ける長尺板７とからなるシンク本体２と、シンク本体２の上端水平方向に取付ける天板８と、シンク本体２の底面板３の排水口９に着脱可能に取付けた蓋体３０とからなり、該蓋体は、中央に流水孔を設けた略方形な嵌合部１１を取付け、該嵌合部の各辺に斜面部を有したコーナー片をそれぞれ形成し、該コーナー片の斜面部に当接する係止部を底面四隅に設け、底面の四辺中央に排水流路を設けることにより、蓋体３０が排水口９の中央位置からズレるのを防止してなることを特徴とする。【選択図】図２
0003214697.tif 000002
【実用新案登録請求の範囲】
【請求項１】
片側隅部に設けた排水口（９）方向に内底面全体を傾斜させてなる底面板（３）と、
前記底面板（３）の左右両側の短尺辺（４）に取付ける一対の側面板（５）と、
前記底面板（３）の前後方向の長尺辺（６）に取付ける一対の長尺板（７）とからなるシンク本体（２）と、
前記シンク本体（２）の上端水平方向に取付ける天板（８）と、
前記シンク本体（２）の底面板（３）の排水口（９）に着脱可能に被せる蓋体（３０）とからなることを特徴とするキッチンシンク。
【請求項２】
前記シンク本体（２）は、底面板（３）の各辺にそれぞれ連結片（４０）を介して側面板（５）の下方と、長尺板（７）の下方をそれぞれ接合し、該側面板と長尺板（７）の端面を互いに直角に接合してなることを特徴とする請求項1記載のキッチンシンク。
【請求項３】
前記シンク本体（２）の排水口（９）は、底面板（３）の内底面と接する二辺の縁部に傾斜面（１０）を設け、且つ、排水口（９）の縁部から一段下げて略方形な嵌合部（１１）を取付け、該嵌合部の各辺に断面略三角形に形成した斜面部（１３）を有するコーナー片（１２）を取付け、前記嵌合部（１１）の中央に設けた流水孔（１５）の周縁に係止段部（１６）を形成し、該係止段部に前記流水孔（１５）に挿通した排水管（２０）に設けた鍔部（２１）を係止し、前記排水管（２０）の下方外周面に設けたねじ部（２３）に固定リング（２５）を螺合して前記排水口（９）の嵌合部（１１）に締着固定してなることを特徴とする請求項1記載のキッチンシンク。
【請求項４】
前記蓋体（３０）は、方形に形成した底面の四辺中央に排水流路（３１）を形成し、底面四隅に係止部（３３）を設けてなることを特徴とする請求項1記載のキッチンシンク。
【請求項５】
前記蓋体（３０）の係止部（３３）は、前記排水口（９）の各辺に設けたコーナー片（１２）の斜面部（１３）と当接する傾斜部（３５）を設けてなることを特徴とする請求項４記載のキッチンシンク。
【請求項６】
前記蓋体（３０）は、表面部（３７）の周縁全体を緩やかに傾斜させた傾斜面（３８）を設けてなることを特徴とする前記請求項１記載のキッチンシンク。
【請求項７】
前記シンク本体（２）と天板（８）と蓋体（３０）は、合成樹脂材を成形加工、粉砕した水晶を合成樹脂材で成形加工、または、セラミックタイルを成形加工した人造板材によりそれぞれ形成してなることを特徴とする前記請求項１記載のキッチンシンク。
【考案の詳細な説明】
【技術分野】
【０００１】
本考案は、キッチンシンクの改良に関する。
【背景技術】
【０００２】
従来、アクリル系合成樹脂材を使用して形成したキッチン用シンク、特に大理石に似せたキッチン用シンク（人造大理石シンク）は、外観の美しさと高級感を有することから高級マンションや高級住宅用のシステムキッチン用に広く使用されている。
【０００３】
また、キッチンシンクの排水口は、構造上シンクの中央後部やコーナーに設け、シンクの内底面を排水口に向かってやや下り勾配にすることにより水切れを良くしている。そのため、洗い物のうち、小さな食器や箸またはスプーンなどの小物が排水口から落ちる危険性が有るため、排水口には水や野菜くずなどは流下するが、食器や箸またはスプーンなどの小物は流下しにくい構造の蓋体が取付けられている。
【０００４】
一方、キッチンシンクは、前記したごとく、アクリル系合成樹脂材やポリエステル系合成樹脂材をシンク型に流し込んで一体成型により形成されている。これらのキッチンシンクは、シンクの各コーナー部分が型抜きのため必然的にアール状に湾曲して形成されているものが広く知られている（特許文献１、２）。
【先行技術文献】
【特許文献】
【０００５】
【特許文献１】特開２００７−２６２６７３
【特許文献２】特開２０１３−１２７１９５
【０００６】
しかし、型抜きしたキッチンシンクはコーナー部分が湾曲しているため外観形状がスッキリとせず、せっかくの高級感とシンクの美しさが減退し、また、排水口に取付ける蓋体も、角がアール状に湾曲しているため直線的で幾何学的な形状の美しさを有するシンクを形成することができなかった。
【０００７】
さらには、これらのキッチンシンクやアイランド型キッチンシンクは、人目につきやすい位置にあることからシンク内は勿論、排水口までよく見えるようになっている。そのため、シンクに設けた排水口の形状に違和感を生じ、システムキッチンの高級感と綺麗なイメージが阻害され、また、排水蓋もそのまま見えるので排水蓋の形状がスッキリせず、また、シンクが汚いというイメージが生じ、せっかくの高級感が損なわれるという問題点を有している。
【考案の概要】
【考案が解決しようとする課題】
【０００８】
そこで、本考案は、キッチンシンク（以下、シンクという。）および排水口の蓋体をスッキリとした幾何学的な矩形および方形に形成して排水効率を向上させ、また、排水口に被せる蓋体をシンクと同一素材により方形に形成したことによりシンクの排水口を俯瞰したとき、排水口の違和感を無くして綺麗なシンクと高級感を有するシンクを形成することを課題とする。
【課題を解決するための手段】
【０００９】
本考案は、片側隅部に設けた排水口９方向に内底面全体を傾斜させてなる底面板３と、前記底面板３の左右両側の短尺辺４に取付ける一対の側面板５と、前記底面板３の前後方向の長尺辺６に取付ける一対の長尺板７とからなるシンク本体２と、前記シンク本体２の上端水平方向に取付ける天板８と、前記シンク本体２の底面板３の排水口９に着脱可能に被せる蓋体３０とからなることを特徴とする。また、前記シンク本体２は、底面板３の各辺にそれぞれ連結片４０を介して側面板５の下方と、長尺板７の下方をそれぞれ接合し、該側面板と長尺板７の端面を互いに直角に接合してなることを特徴とする。さらには、前記シンク本体２の排水口９は、底面板３の内底面と接する二辺の縁部に傾斜面１０を設け、且つ、排水口９の縁部から一段下げて略方形な嵌合部１１を取付け、該嵌合部の各辺に断面略三角形に形成した斜面部１３を有するコーナー片１２を取付け、前記嵌合部１１の中央に設けた流水孔１５の周縁に係止段部１６を形成し、該係止段部に前記流水孔１５に挿通した排水管２０に設けた鍔部２１を係止し、前記排水管２０の下方外周面に設けたねじ部２３に固定リング２５を螺合して前記排水口９の嵌合部１１に締着固定してなることを特徴とする。さらにはまた、前記シンク本体２の排水口９は、底面板３の内底面と接する二辺の縁部に傾斜面１０を設け、且つ、排水口９の縁部から一段下げて略方形な嵌合部１１を取付け、該嵌合部の各辺に断面略三角形に形成した斜面部１３を有するコーナー片１２を取付け、前記嵌合部１１の中央に設けた流水孔１５の周縁に係止段部１６を形成し、該係止段部に前記流水孔１５に挿通した排水管２０に設けた鍔部２１を係止し、前記排水管２０の下方外周面に設けたねじ部２３に固定リング２５を螺合して前記排水口９の嵌合部１１に締着固定してなることを特徴とする。また、前記蓋体３０は、方形に形成した底面の四辺中央に排水流路３１を形成し、底面四隅に係止部３３を設けてなることを特徴とする。さらには、前記蓋体３０の係止部３３は、前記排水口９の各辺に設けたコーナー片１２の斜面部１３と当接する傾斜部３５を設けてなることを特徴とする。さらにはまた、前記蓋体３０は、表面部３７の周縁全体を緩やかに傾斜させた傾斜面３８を設けてなることを特徴とする。また、前記シンク本体２と蓋体３０は、合成樹脂材を成形加工、粉砕した水晶を合成樹脂材で成形加工、または、セラミックタイルを成形加工した人造板材によりそれぞれ形成してなることを特徴とする。
【００１０】
したがって、シンク１と同一素材で形成した蓋体３０をシンク１の排水口９に取付けることにより、蓋体３０をシンク１と一体に同化させることができるので、外観上蓋体３０が目立たずシンク１に取付ける蓋体３０の違和感を無くして高級感を生じさせることができる。また、排水口９の表面に位置する蓋体３０の排水流路３１から流水孔１５の出口が見えないのでシンク１に違和感がなく高級感を維持することができる。さらに、蓋体３０は、下部の四隅に設けた係止部３３に傾斜部３５を設けたことにより、排水口９のコーナー片１２に設けた斜面部１３と傾斜部３５とを当接させて位置したことにより、大量な排水による水圧でもズレルことなく安定して位置させることができる。さらには、シンク内に洗浄前の食器やなべなどを置いてもズレることなく安定して位置させることができる。
【図面の簡単な説明】
【００１１】
【図１】キッチンシンクの平面図である。
【図２】図１のＡ―Ａ線断面図ある。
【図３】図１のＢ―Ｂ線断面図ある。
【図４】排水口の要部拡大断面図である。
【図５】蓋体を被せた排水口の要部拡大断面図である。
【図６】蓋体の正面図である。
【図７】蓋体の平面図である。
【図８】蓋体の底面図である。
【図９】図７のＣ―Ｃ線断面図である。
【図１０】排水口の流路を示す要部拡大断面図である。
【考案を実施するための形態】
【００１２】
本考案の実施の形態を図面に基づいて説明すると、図１はキッチンシンクの平面図、図２は図１のＡ―Ａ線断面図、図３は図１のＢ―Ｂ線断面図、図４は排水口の要部拡大断面図、図５は蓋体を被せた排水口の要部拡大断面図、図６は蓋体の正面図、図７は蓋体の平面図、図８は蓋体の底面図、図９は図７のＣ―Ｃ線断面図である。キッチンシンク１は、合成樹脂材、例えば、アクリル系またはポリエステル系樹脂材により形成して大理石に似せた樹脂板、または、クオーツ（水晶を顆粒状に破砕）を主成分として樹脂材で成型した大理石に似せた人造石板、さらには、セラミックタイル板などからなる人造板材を互いに接着して幾何学的な矩形に形成したものである。
【００１３】
前記キッチンシンク１（以下、シンクという。）は、排水口９を有した底面板３と、該底面板の短尺方向の側辺４に取付ける一対の側面板５と、底面板３の前後方向長尺辺６に取付ける一対の長尺板７とからなるシンク本体２と、該シンク本体の上端縁に水平方向で縦横に接合して形成した天板８と、前記シンク本体２の底面板３に設けた排水口９に着脱可能に被せる蓋体３０とをシンク本体２と同一素材の人造板材を用いて形成してある。前記キッチンシンク１を構成するシンク本体２と天板８と蓋体３０とを同一素材で形成することにより、一体感および統一感を形成することができる。
【００１４】
前記シンク本体２は、図２、３に示すごとく、底面板３の左右両側の短尺辺４にそれぞれ側面板５の下方に連結片４０を介して垂直方向に取付け、前記底面板３の前後方向長尺辺６の下方に連結片４０を介して長尺板７を垂直方向に取付け、該側面板と長尺板７の接合する端面を互いに直角に接着して接合してある。
【００１５】
前記シンク本体２は、図２、３に示すごとく、側面板５と長尺板７の上端縁に水平方向で縦横に接合して形成した天板８のシンク孔８ａの裏面と、シンク本体２の側面板５と長尺板７の外側面に連結片４２を介してそれぞれ接着して取付けてある。前記天板８は、シンクに給湯するカランや調理器具などを載せるスペースを形成するものである。
【００１６】
前記したシンク本体２を構成する底面板３は、一方の片側隅部に設けた排水口９方向に向かって内底面全体をやや下り勾配、1〜３度、好ましくは、１.５度の勾配に形成して水切れを良くし、且つ、底面板３に設けた排水口９の縁である二辺を面取りして傾斜面１０を設け、流水の表面張力による排水口９部分の残水（いわゆる死に水）を防止し、前記排水口９の上面にシンク１と同一素材により形成した人造板材により形成した蓋体３０を着脱可能に取付けてある。
【００１７】
前記排水口９は、図４、５に示すごとく、前記底面板３の内底面から一段下げて略方形に形成した嵌合部１１と、該嵌合部を保持する排水枠１７と固定枠１８とにより構成され、前記嵌合部１１の上面で各辺に断面略三角形に形成した斜面部１３を有するコーナー片１２をそれぞれ取付け、前記嵌合部１１は、中央に流水孔１５を設け、該流水孔の周縁に係止段部１６を形成してある。
【００１８】
前記嵌合部１１の中央に設けた流水孔１５には、図５に示すごとく、シンク１内の洗浄水をスムースに流下させるための排水管２０を取付け、該排水管は、上端に鍔部２１を形成し、外周面の下方にねじ部２３を設けてなり、前記排水管２０の上端鍔部２１は、シールリング（図示せず）を介して係止段部１６に係止し、この排水管２０の下方に設けたねじ部２３に固定リング２５を装着して嵌合部１１の下部に位置した固定枠１８に締着固定してある。この排水管２０には、洗浄水と共に流下する野菜くずや食べくずなどを収容するゴミかご（図示せず）を取付け可能にしてある。  
【００１９】
前記蓋体３０は、前記したごとく、シンク本体２と同一素材で成形加工した人造板材からなり、図６から図９に示すごとく、方形に形成した前記排水口９の嵌合部１１に着脱可能に装着するように方形に形成してある。この蓋体３０の底面四辺には、中央長手方向を斜めに切欠いた排水流路３１をそれぞれ形成し、底面四隅にはそれぞれＬ字形の係止部３３を設け、この係止部３３の下端には、前記排水口９のコーナー片１２の斜面部１３と当接する傾斜部３５を設けてある。
【００２０】
したがって、シンク本体２と、同一素材で蓋体３０を形成したことにより、蓋体３０をシンク１と一体に同化させることができるので、外観上蓋体３０が目立たずシンク１に取付ける蓋体３０の違和感を無くして高級感を生じさせることができる。さらには、前記シンク本体２は上端に天板８を同一素材で形成することにより、キッチンシンク１として一体感および統一感を醸成することができる。
【００２１】
さらに、蓋体３０の底面四隅に設けた係止部３３は、前記排水口９の各辺に設けたコーナー片１２の斜面部１３と当接する傾斜部３５を設けたことにより、蓋体３０とコーナー片１２との接触面積を多くし、且つ、四方コーナーにおいて斜面部１３に、傾斜部３５が当接することで蓋体３０が排水口９の中心位置からズレるのを防止することができるので、蓋体３０の全体がガタついたり、大量の排水による水圧でもズレることなく安定して位置させることができる。
【００２２】
この排水口９に位置した蓋体３０の上面と、排水口９の周縁との高さをほぼ同一面に形成したことにより、シンク１を俯瞰したときに蓋体３０の違和感を無くすことができる。さらには、蓋体３０の表面部３７の周縁を緩やかに傾斜させた傾斜面３８を設けたことにより、表面部３７の流水が表面張力で表面部３７に残る、いわゆる、死に水を防止して流れやすくすることができる。
【００２３】
以下、本考案の実施の形態の作用について説明すると、シンク１を型抜成型ではなく、アクリル系またはポリエステル系樹脂材により形成して大理石に似せた樹脂板、または、クオーツ（水晶を顆粒状に破砕）を主成分として樹脂材で成型した大理石に似せた人造石板、さらには、セラミックタイル板などからなる人造板材により形成した底面板３、側面板５と長尺板７とをそれぞれ接着して形成したことにより、直線的で幾何学的な美しい形状、即ち、各内角を略直角状にしたシンク１を形成することができる。
【００２４】
また、蓋体３０は、シンク本体２および天板８と同一素材により形成したことにより、蓋体３０がシンク１と一体的となり、シンクを俯瞰したとき排水口２を目立たなくすることができるので、シンク１の高級感をグレードアップすることができる。さらには、天板８をシンク本体２と同一素材により形成したことにより、キッチンシンク１として一体感および統一感を醸成することができる。
【００２５】
前記蓋体３０は、下面の各辺に排水流路３１を設けたことにより、この排水流路３１が外観から見えず、また、排水口９に位置する蓋体３０の排水流路３１からも流水孔１５が見えないので排水口９がシンク１と一体化して違和感のない高級感を維持することができる。
【００２６】
さらに蓋体３０は、図１０に示すごとく、底面四隅に係止部３３を設け、該係止部は、前記排水口９の各辺に設けたコーナー片１２の斜面部１３と当接する傾斜部３５を設けたことにより、蓋体３０とコーナー片１２との接触面積を多くすることができるので、蓋体３０のガタつきや大量の排水による水圧でもズレルことなく安定して位置させることができる。
【００２７】
排水口９に被せた蓋体３０は、排水口９の周縁との高さをほぼ同一面に形成したことにより、シンク１を俯瞰したときに蓋体３０の違和感を無くすことができる。さらには、蓋体３０の上面表面部３７の中央部分を偏平に形成し、該表面部３７の周縁を緩やかに傾斜させた傾斜面３８を一体に形成したことにより、排水口９の周縁部分の排水を流れやすくすることができ、排水口９の周縁と、蓋体３０の表面部３７に流水の表面張力により水が溜まる、いわゆる、死に水の発生を防止することができ衛生的である。
【００２８】
さらにはまた、蓋体３０は、表面部３７とシンク１の底面とが同一平面上に位置するので、シンク１の底面全体をフラットにすることができ、シンク底面を広く使用することができるので大きな皿などの食器や、なべなどの洗い物を置くことができ、且つ、シンク内に洗浄前の食器やなべなどを置いても蓋体３０がズレることなく安定して位置させることができる。
【００２９】
排水口９に取付けた蓋体３０の取り外しは、排水口９と蓋体３０との隙間に指先を入れて、指先を折り曲げることにより、簡単に蓋体３０の裏側に引掛けることができ、指先を折り曲げた状態で上方に引き上げることにより、簡単に蓋体３０を引き抜くことができる。
【符号の説明】
【００３０】
１    キッチンシンク
２    シンク本体
３    底面板
５    側面板
７    長尺板
８    天板
９    排水口
１０  傾斜面
１１  嵌合部
１２  コーナー片
１３  斜面部
１５  流水孔
１６  係止段部
１７  排水枠
１８  固定枠
２０  排水管
２１  鍔部
２３  ねじ部
２５  固定リング
３０  蓋体
３１  排水流路
３３  係止部
３５  斜面部
３７  表面部
３８  傾斜面
【図１】
0003214697.tif 000003
【図２】
0003214697.tif 000004
【図３】
0003214697.tif 000005
【図４】
0003214697.tif 000006
【図５】
0003214697.tif 000007
【図６】
0003214697.tif 000008
【図７】
0003214697.tif 000009
【図８】
0003214697.tif 000010
【図９】
0003214697.tif 000011
【図１０】
0003214697.tif 000012